(57)【特許請求の範囲】
【請求項１】
天井に埋め込まれ熱交換器及び送風機が内装される室内機本体と、この室内機本体の下面を覆い空気吸込口及び空気吹出口を備える化粧パネルで構成される天井埋込形空気調和機において、
前記送風機の中心が室内機本体の中心と異なるように配置されかつ、前記送風機の下方にファンガードが設けられ、
このファンガードに、前記室内機本体の中心を示す本体中心表示点を設け、この本体中心表示点が前記室内機本体の中心と一致することを特徴とする天井埋込形空気調和機。
【請求項２】
前記ファンガードは直径の異なる円環桟と、この円環桟を互いに離間して連結し、前記本体中心表示点から放射状に延びる連結桟からなることを特徴とする請求項１に記載の天井埋込形空気調和機。
【発明の詳細な説明】
【技術分野】
【０００１】
本発明は天井埋込形空気調和機に係り、特にファンガードの構造を改良した天井埋込形空気調和機に関する。
【背景技術】
【０００２】
一般に天井埋込形空気調和機は、中央部に吸込口が設けられ、この吸込口を囲うように複数の吹出口が設けられる。
【０００３】
さらに、吸込口と送風機間に送風機への接触を防ぐためのファンガードが設けられ、このファンガードの中心から放射状に配置される連結桟に、ファンガードの中心を中心とする同心円状に環状桟を取り付けて形成される。
【０００４】
しかしながら、図７に示すように、従来のファンガード２１は環状桟２１ａの取り付け間隔が等しいため、送風機２２から離れた外周付近の環状桟２１ａおよび連結桟２１ｂからなる桟格子では接触防止の機能をはたせず、さらに、環状桟２１ａによる空気抵抗による、風量低減の一因となっていた。
【０００５】
また、従来のファンガード２１の中心Ｃ２１が送風機２２の中心Ｃ２２及びベルマウスの中心と同心円状に配置されており、室内機本体２３の中心Ｃ２３と送風機２２の中心Ｃ２２が異なる場合、天井開口、吊りボルトおよび天井埋込形空気調和機等の据付作業時、室内機本体２３の中心Ｃ２３を計測器を用いて測定して確認する必要があり、据付作業性が劣る問題があった。
【０００６】
なお、特許文献１には、ファンガードによって吸込空気流に生じる抵抗を低減するために、ファンガードを、同心状に配設された複数の環状桟と、同複数の環状桟を連結する複数の連結桟とで構成するとともに、複数の環状桟の間隔は、ベルマウスにほぼ対向する箇所のピッチを、他の箇所のピッチに比して疎にした天井埋込形空気調和機が提案されている。
【特許文献１】特開２０００−２２７２３３号公報
【発明の開示】
【発明が解決しようとする課題】
【０００７】
本発明は上述した事情を考慮してなされたもので、室内機の中心と送風機の中心が異なる天井埋込形空気調和機であっても、室内機本体の中心が製品外観から容易に判断可能で、天井埋込形空気調和機の据付作業性が向上する天井埋込形空気調和機を提供することを目的とする。
【課題を解決するための手段】
【０００８】
上述した目的を達成するため、本発明に係る天井埋込形空気調和機は、天井に埋め込まれ熱交換器及び送風機が内装される室内機本体と、この室内機本体の下面を覆い空気吸込口及び空気吹出口を備える化粧パネルで構成される天井埋込形空気調和機において、前記送風機の中心が室内機本体の中心と異なるように配置されかつ、前記送風機の下方にファンガードが設けられ、このファンガードに室内機本体の中心を示す本体中心表示点を設け、この本体中心表示点が前記室内機本体の中心と一致することを特徴とする。
【発明の効果】
【０００９】
本発明に係る天井埋込形空気調和機によれば、室内機の中心と送風機の中心が異なる天井埋込形空気調和機であっても、室内機本体の中心が製品外観から容易に判断可能で、天井埋込形空気調和機の据付作業性が向上する天井埋込形空気調和機を提供することができる。
【発明を実施するための最良の形態】
【００１０】
本発明の一実施形態に係る天井埋込形空気調和機について図面を参照して説明する。
【００１１】
図１は本発明の一実施形態に係る天井埋込形空気調和機の斜視図であり、図２は本天井埋込形空気調和機の化粧パネルを取り外して示す平面図である。
【００１２】
図１に示すように、本発明の一実施形態に係る天井埋込形空気調和機１は、天井に埋め込まれる室内機本体２と、この室内機本体２の下面を覆い、空気吸込口３ａ及び空気吹出口３ｂを備える化粧パネル３で構成される。
【００１３】
室内機本体２は筐体状をなし、熱交換器（図示せず）、例えばターボ形の送風機４などを収容する。
【００１４】
室内機本体２は４組の吊り下げ手段５によって天井基材（図示せず）に吊り下げて取り付けられる。
【００１５】
図２及び図３に示すように、室内機本体２内には送風機４が配置され、室内機本体２の中心Ｃ１と送風機４の中心Ｃ２が異なるすなわち中心Ｃ２が中心Ｃ１から偏心して配置される。また、送風機４の吸込側にはベルマウス６が送風機４と同心的に設けられる。
【００１６】
さらに、送風機４に対向する下方には、ファンガード７が設けられる。
【００１７】
図４に示すように、ファンガード７は合成樹脂製で一体成形され、円形、桟格子状をなし、直径の異なる複数個の円環桟７ａとこの円環桟７ａを非同心的に不等間隔で連結する連結桟７ｂからなり、連結桟７ｂはファンガード７の中心（図４中中心Ｃ２と一致）から偏心する本体中心表示点Ｐより放射状に延びる。本実施形態では、連結桟は階段状に非直線的に伸びるが、直線状に延びることを含め、非直線的に本体中心表示点から半径方向に延びる場合も放射状に延びるという。
【００１８】
また、ファンガード７の外周より内側の一部すなわちベルマウス６に近い部位の桟格子の開口面積Ｓ１を他の開口面積Ｓ２に比べて大きくする。これにより、送風機の保護強度を保ちつつ、送風機への吸込空気抵抗の低減を図ることができる。
【００１９】
図５に示すように、ファンガード７には、吸込空気温度センサー８を保護する吸込空気温度センサー保護部９が設けられる。これにより、別個に設ける場合に比べて部品点数を削減することができる。
【００２０】
また、ファンガード７に吸込空気温度センサー８を取り付ける吸込空気温度センサー取付部１０が設けられる。これにより、部品点数を削減することができ、また、吸込空気温度センサー８の取付位置のバラツキによる温度誤検知を防止できる。
【００２１】
図２及び図６に示すように、室内機本体２内には、ファンガード７を囲うように、ロ字状に配された空気吹出部１１が設けられる。この空気吹出部１１には複数平行に離間して設けられる線状の保護桟１２ａと、この保護桟１２ａを支持する複数枚の支持部材１２ｂからなる吹出部保護格子１２が設けられる。
【００２２】
さらに、吹出部保護格子１２の内側には、吹出空気温度センサー１３を取り付ける吹出空気温度センサー取付部１４が設けられる。これにより、別個に設ける場合に比べて部品点数を削減することができる。
【００２３】
上記のように、本天井埋込形空気調和機１は、図２及び図３に示すように、室内機本体２の中心Ｃ１と送風機４の中心Ｃ２が異なるように配置され、中心Ｃ１とファンガード７に設けた本体中心表示点Ｐが一致するように配置されるので、天井開口、吊りボルトおよび天井埋込形空気調和機等の据付作業時、室内機本体の中心を、本体中心表示点Ｐを観察することで確認でき、計測器を用いて測定して確認する必要がなく、据付作業性が向上する。
【００２４】
本実施形態の天井埋込形空気調和機によれば、室内機の中心と送風機の中心が異なる天井埋込形空気調和機であっても、室内機本体の中心が製品外観から容易に判断可能で、天井埋込形空気調和機の据付作業性が向上する天井埋込形空気調和機が実現する。
【図面の簡単な説明】
【００２５】
【図１】本発明の一実施形態の天井埋込形空気調和機の斜視図。
【図２】本発明の一実施形態の天井埋込形空気調和機の化粧パネルを取り外して示す平面図。
【図３】本発明の一実施形態の天井埋込形空気調和機に用いるファンガードの取り付け状態を示す概念図。
【図４】本発明の一実施形態の天井埋込形空気調和機に用いるファンガードの平面図。
【図５】本発明の一実施形態の天井埋込形空気調和機に用いる吸込空気温度センサーの取り付け位置を示す斜視図。
【図６】本発明の一実施形態の天井埋込形空気調和機に用いる吹出空気温度センサーの取り付け位置を示す斜視図。
【図７】本発明の一実施形態の天井埋込形空気調和機の化粧パネルを取り外して示す平面図。
【符号の説明】
【００２６】
１…天井埋込形空気調和機、２…室内機本体、３…化粧パネル、３ａ…空気吸込口、３ｂ…空気吹出口、４…送風機、５…吊り下げ手段、６…ベルマウス、７…ファンガード、７ａ…円環桟、７ｂ…連結桟、８…吸込空気温度センサー、９…吸込空気温度センサー保護部、１０…吸込空気温度センサー取付部、１１…空気吹出部、１２…吹出部保護格子、１２ａ…保護桟、１２ｂ…支持部材、１３…吹出空気温度センサー、１４…吹出空気温度センサー取付部。
【図１】
0005036484.tif 000002
【図２】
0005036484.tif 000003
【図３】
0005036484.tif 000004
【図４】
0005036484.tif 000005
【図５】
0005036484.tif 000006
【図６】
0005036484.tif 000007
【図７】
0005036484.tif 000008